(57)【特許請求の範囲】
【請求項１】
筐体状の下部ハウジングと；
前記下部ハウジングの肉厚部上面に接合固定される上部ハウジングと；
前記下部ハウジング内でそれぞれが隣接位置に並列配置された一対の負荷端子と；
前記下部ハウジング内で前記一対の負荷端子にそれぞれ対応する位置であってそれぞれが隣接位置に並列配置された一対の共通端子と；
前記上部ハウジングにおいて対応する前記負荷端子と前記共通端子とを結ぶ方向に揺動自在に取り付けられたスイッチハンドルと；
一端が前記共通端子に接続保持されて他端が前記スイッチハンドルに連結され、前記スイッチハンドルの揺動動作に応じて揺動することで他端側に設けられた接点が前記負荷端子に設けられた接点に対して接離する一対の可動片と；
一組の前記負荷端子及び前記共通端子ともう一組の前記負荷端子及び前記共通端子との間の空間に配置される遮断部と、前記下部ハウジングと前記上部ハウジングとの接合部分に挟持される固定片と、を有するセパレータと；
を具備することを特徴とするスイッチ。
【請求項２】
前記下部ハウジングの肉厚部上面には、前記セパレータの前記固定片を前記肉厚部上面よりも僅かに突出させて嵌合させる嵌合凹部が形成されていることを特徴とする請求項１記載のスイッチ。
【請求項３】
前記セパレータには、前記スイッチハンドルの揺動動作に応じて前記負荷端子との間で前記接点同士が離反する方向に揺動した前記可動片を支持する支持片が形成されていることを特徴とする請求項１または２記載のスイッチ。
【発明の詳細な説明】
【０００１】
【発明の属する技術分野】
本発明は、スイッチに係り、特に、多くの部品を共用して２極スイッチと４路スイッチとを選択に組み立てることができるスイッチに関する。
【０００２】
【従来の技術】
従来、多くの部品を共用して２極スイッチと４路スイッチとを選択に組み立てることができるスイッチが実用化されている。そこで、、このようなスイッチを説明する前に、２極スイッチおよび４路スイッチの概略構成およびそれらの使用例を図７および図８に基づいて説明する。
【０００３】
図７は、４路スイッチの概略構成および使用例を示す回路図である。４路スイッチ１０１は、一対の共通端子１０２ａ，１０２ｂと一対の負荷端子１０３ａ，１０３ｂとを持ち、図示しないスイッチハンドルの切り替え操作に応じて、共通端子１０２ａ‐負荷端子１０３ａおよび共通端子１０２ｂ‐負荷端子１０３ｂという第１の接続状態（図７中、実線で示す）と、共通端子１０２ａ‐負荷端子１０３ｂおよび共通端子１０２ｂ‐負荷端子１０３ａという第２の接続状態（図７中、点線で示す）とに図示しない接点の切り替え動作を行う構造のものである。
【０００４】
このような４路スイッチ１０１は、例えば、単純な切替スイッチ１０４と共に使用される。具体例として、図７に示す回路は、廊下に設置する照明器具に利用される。つまり、図示しない廊下に取り付けられて商用交流電源１０５によって駆動される照明器具１０６ためのスイッチングシステムとして、廊下の一方の入り口には切替スイッチ１０４ａを配置し、もう一方の入口には別の切替スイッチ１０４ｂを配置し、廊下の中間位置に４路スイッチ１０１を配置する。そして、図７に示すような接続状態の下、何れのスイッチ１０１，１０４ａ，１０４ｂによっても、照明器具１０６のスイッチング操作が可能である。例えば、全てのスイッチ１０１，１０４ａ，１０４ｂの図示しない接点が図７中の実線のように切り替えられていればスイッチオンとなって照明器具１０６に商用交流電源１０５から電力供給がなされ、この状態で何れのスイッチ１０１，１０４ａ，１０４ｂであってもその接点が点線のように切り替えられることによってスイッチオフとなる。また、全てのスイッチ１０１，１０４ａ，１０４ｂの接点が点線のように切り替えられていればスイッチオフとなって照明器具１０６に対する商用交流電源１０５から電力供給が絶たれ、この状態で何れのスイッチ１０１，１０４ａ，１０４ｂであってもその接点が実線のように切り替えられることによってスイッチオンとなる。
【０００５】
図８は、２極スイッチの概略構成および使用例を示す回路図である。２極スイッチ１１１は、一対の共通端子１１２ａ，１１２ｂと一対の負荷端子１１３ａ，１１３ｂとを持ち、図示しないスイッチハンドルの切り替え操作に応じて、共通端子１１２ａ‐負荷端子１１３ａの組および共通端子１１２ｂ‐負荷端子１１３ｂの組の断続を同時に行う構造のものである。このような２極スイッチ１１１では、安全面を考慮すると、共通端子１１２ａ‐負荷端子１１３ａの組と、共通端子１１２ｂ‐負荷端子１１３ｂの組との間の絶縁距離がある程度必要となる。そこで、これらの組を構成する端子間には、セパレータ１１４が必要となる。
【０００６】
このような２極スイッチ１１１は、例えば、照明器具１１５に対する商用交流電源１１６からの電力供給を断続する用途に用いられる。つまり、商用交流電源１１６に一対の共通端子１１２ａ，１１２ｂを接続し、一対の負荷端子１１３ａ，１１３ｂには負荷としての照明器具１１５を接続する。この状態で、スイッチハンドルを切り替えることによって、共通端子１１２ａ‐負荷端子１１３ａの組および共通端子１１２ｂ‐負荷端子１１３ｂの組の断続が同時に行われ、照明器具１１５に対する商用交流電源１１６からの電力供給が制御される。
【０００７】
図７および図８からも明らかなように、２極スイッチと４路スイッチとは、端子の数やその接続状態等、多くの共通性を有している。そこで、これらの２極スイッチと４路スイッチとを別個独立に製造した場合の組立上および各種コスト上等における各種不利益を回避して組立の容易性や各種コスト低減を図る意味から、多くの部品を共用して２極スイッチと４路スイッチとを選択に組み立てることができるようにしたスイッチが実用化されている。
【０００８】
図９は、２極スイッチとしても４路スイッチとしても組立可能なスイッチの従来の一例として、２極スイッチとして組み立てられたスイッチの下部ハウジングとその収容部品とをセパレータが取り付けられた状態で示す平面図である。このようなスイッチ２０１は、下部ハウジング２０２と図示しない上部ハウジングとの内部に各種の部品が収納保持されて構成されている。下部ハウジング２０２には、一対の共通端子２０３ａ，２０３ｂと一対の負荷端子２０４ａ，２０４ｂとが対応付けられて設けられている。これらの共通端子２０３ａ，２０３ｂおよび負荷端子２０４ａ，２０４ｂには、下部ハウジング２０２の下面から挿入されて保持される図示しない導電線が接続されるように構成されている。そして、一対の負荷端子２０４ａ，２０４ｂにはそれぞれ接点２０５ａ，２０５ｂが設けられ、これらの接点２０５ａ，２０５ｂに対して接離自在な接点２０６ａ，２０６ｂを有する可動片２０７が一対の共通端子２０３ａ，２０３ｂに揺動自在に保持されている。そこで、図示しない上部ハウジングに揺動自在に設けた図示しないスイッチハンドルに一対の可動片２０７を連結することで、そのスイッチハンドルの揺動動作に応じて可動片２０７を揺動させ、これによって負荷端子２０４ａ，２０４ｂの接点２０５ａ，２０５ｂと可動片２０７の接点２０６ａ，２０６ｂとを接離自在にしている。
【０００９】
このような構造のスイッチ２０１では、負荷端子２０４ａ，２０４ｂを入れかえるだけで４路スイッチとして組立が可能である。つまり、負荷端子２０４ａに対して負荷端子２０４ｂの接点２０５ｂと対面する図示しない接点を追加的に設けた部材と、負荷端子２０４ｂに対して負荷端子２０４ａの接点２０５ａと対面する図示しない接点を追加的に設けた部材とを用意し、負荷端子２０４ａ，２０４ｂとそれらの部材とを入れかえるだけで、２極スイッチと４路スイッチとを容易に選択可能である。
【００１０】
ここで、スイッチ２０１が図９に示すように２極スイッチとして構成されている場合には、共通端子２０３ａ−負荷端子２０４ａの組と共通端子２０３ｂ−負荷端子２０４ｂの組との間の絶縁距離を確保するためのセパレータ２０８が必要となる。そこで、図９に示すスイッチ２０１では、下部ハウジング２０２の内部にセパレータ２０８と嵌合構造を構成する嵌合固定部２０９が設けられ、この嵌合固定部２０９に対してセパレータ２０８が圧入固定されている。
【００１１】
【発明が解決しようとする課題】
例えば図９に例示するスイッチ２０１を２極スイッチとして組み立てる場合、共通端子２０３ａ−負荷端子２０４ａの組と共通端子２０３ｂ−負荷端子２０４ｂの組との間の絶縁距離を確保するために、セパレータ２０８の組み込みが不可欠である。ところが、セパレータ２０８は、下部ハウジング２０２に設けられた嵌合固定部２０９に圧入される構造であるので、下部ハウジング２０２に対して不適切な角度でセパレータ２０８が挿入されて嵌合固定部２０９に圧入されると、セパレータ２０８の取り付け角度や取り付け位置が不適切になってしまい、各種の不都合を招くという問題がある。各種の不都合としては、例えば、共通端子２０３ａ−負荷端子２０４ａの組と共通端子２０３ｂ−負荷端子２０４ｂの組との間の絶縁が十分に得られなくなったり、スイッチング動作が正しく行われなくなったりする、等の現象が起こり得る。
【００１２】
本発明の目的は、２極スイッチとして組み立てる場合に必要なセパレータを正しく配置することである。
【００１３】
【課題を解決するための手段】
請求項１記載のスイッチの発明は、筐体状の下部ハウジングと；前記下部ハウジングの肉厚部上面に接合固定される上部ハウジングと；前記下部ハウジング内でそれぞれが隣接位置に並列配置された一対の負荷端子と；前記下部ハウジング内で前記一対の負荷端子にそれぞれ対応する位置であってそれぞれが隣接位置に並列配置された一対の共通端子と；前記上部ハウジングにおいて対応する前記負荷端子と前記共通端子とを結ぶ方向に揺動自在に取り付けられたスイッチハンドルと；一端が前記共通端子に接続保持されて他端が前記スイッチハンドルに連結され、前記スイッチハンドルの揺動動作に応じて揺動することで他端側に設けられた接点が前記負荷端子に設けられた接点に対して接離する一対の可動片と；一組の前記負荷端子及び前記共通端子ともう一組の前記負荷端子及び前記共通端子との間の空間に配置される遮断部と、前記下部ハウジングと前記上部ハウジングとの接合部分に挟持される固定片と、を有するセパレータと；を具備する。
【００１４】
「下部ハウジング」、「上部ハウジング」および「スイッチハンドル」は、例えば、樹脂モールドによって形成される。もっとも、これに限定されるわけではない。
【００１５】
「スイッチ」と「可動片」との間の連結は、例えばコイルスプリングによって行う。これにより、接点に対する可動片の接離動作が正しく行われる。また、スイッチの揺動にクリック間を生じさせることができる。もっとも、このような構成に限定されるわけではない。
【００１６】
「セパレータ」は、例えば、樹脂モールドによって形成される。もっとも、絶縁性を有する部材によって形成されていれば、これに限定されるわけではない。
【００１７】
このような請求項１記載の発明によれば、スイッチハンドルの揺動によって共通端子に接続された可動片が揺動し、これによって、負荷端子との間で接点の接離が行われてスイッチング動作がなされる。また、一組の前記負荷端子及び前記共通端子ともう一組の前記負荷端子及び前記共通端子との間で、セパレータの遮断部によって必要な絶縁距離が得られる。このようなセパレータは、一組の前記負荷端子及び前記共通端子ともう一組の前記負荷端子及び前記共通端子との間の空間に遮断部が配置され、下部ハウジングと上部ハウジングとの接合部分に固定片が挟持されて固定されるため、スイッチの組立に際し、下部ハウジングにセパレータを乗せた状態で上部ハウジングを下部ハウジングに接合固定することによって固定的に配置される。このため、下部ハウジングに対してセパレータが不適切な角度で位置付けられてしまうようなことがなく、その配置位置が適正な位置となる。
【００１８】
請求項２記載の発明は、請求項１記載のスイッチにおいて、前記下部ハウジングの肉厚部上面には、前記セパレータの前記固定片を前記肉厚部上面よりも僅かに突出させて嵌合させる嵌合凹部が形成されている。
【００１９】
このような請求項２記載の発明によれば、スイッチの組立に際しては、下部ハウジングにセパレータを乗せる場合、セパレータの固定片を嵌合凹部に嵌合させる。このとき、下部ハウジングにセパレータを乗せるべき位置が明確となり、その作業がしやすくなる。そして、この状態で上部ハウジングを下部ハウジングに接合固定すると、固定片は下部ハウジングの肉厚部上面よりも僅かに突出しているので、下部ハウジングと上部ハウジングとの接合固定部分に固定片が強固に固定される。
【００２０】
請求項３記載の発明は、請求項１または２記載のスイッチにおいて、前記セパレータには、前記スイッチハンドルの揺動動作に応じて前記負荷端子との間で前記接点同士が離反する方向に揺動した前記可動片を支持する支持片が形成されている。
【００２１】
「支持片」は、「セパレータ」が樹脂モールドによって形成されている場合には、セパレータと一体に形成することが可能である。
【００２２】
このような請求項３記載の発明によれば、負荷端子と可動片との間で接点の接離が行われるに際し、揺動して負荷端子から離反する可動片が支持片に支持され、スイッチオフ時の可動片の位置付け状態が安定する。
【００２３】
【発明の実施の形態】
本発明の実施の一形態を図１ないし図６に基づいて説明する。図１はスイッチの外観斜視図、図２は２極スイッチとして構成されたスイッチの縦断側面図、図３は２極スイッチとして構成された下部ハウジングとその収容部品とをセパレータが取り付けられた状態で示す平面図、図４はセパレータの斜視図、図５は２極スイッチとして構成された下部ハウジングとその収容部品とをセパレータが取り外された状態で示す平面図、図６は４路スイッチとして構成された下部ハウジングとその収容部品とを示す平面図である。
【００２４】
本実施の形態のスイッチ１は、多くの部品を共用して２極スイッチと４路スイッチとを選択に組み立てることができる構造を持っている。以下の記述では、発明の内容上、２極スイッチとして組み立てられた場合の例を主体に説明する。
【００２５】
まず、スイッチ１は、筐体状の下部ハウジング２と上部ハウジング３とが接合されてハトメ４でかしめ固定され、これらの下部ハウジング２と上部ハウジング３との内部に各種の構造物が収納保持されて形成されている。また、上部ハウジング３にはスイッチハンドル５が揺動自在に取り付けられており、内部に収納保持された構造物は、そのスイッチハンドル５の揺動動作に応じてスイッチング動作を行うように構成されている。
【００２６】
下部ハウジング２は、樹脂モールド成形された筐体状のもので、その底部には４角近傍に位置させて４個の挿通孔６が一体形成されている。これらの挿通孔６は、外部から内部に導電線７を導くためのものである。また、下部ハウジング２には、それぞれが隣接位置に並列配置された金属製の一対の負荷端子８ａ，８ｂと、それぞれが隣接位置に並列配置された金属製の一対の共通端子９ａ，９ｂとが設けられている。これらの負荷端子８ａ，８ｂと共通端子９ａ，９ｂとは、それぞれ対応する位置に位置付けられている。そして、各負荷端子８ａ，８ｂおよび各共通端子９ａ，９ｂには、一対一の関係で板ばね１０が当接している。したがって、板ばね１０は４個設けられている。これらの板ばね１０は、挿通孔６を挿通する導電線７を挟持すると共に、これらの導電線７と各負荷端子８ａ，８ｂおよび各共通端子９ａ，９ｂとを電気的に接続する構造のものである。
【００２７】
ここで、各負荷端子８ａ，８ｂには、下部ハウジング２の内部中央部よりもやや一方にオフセットさせて接点１１ａ，１１ｂが設けられている。また、各共通端子９ａ，９ｂの先端部には、下部ハウジング２の内部略中央部に位置させて、保持凹部１２ａ，１２ｂが曲げ加工によって形成されている。そして、これらの保持凹部１２ａ，１２ｂには、金属製の一対の可動片１３ａ，１３ｂが揺動自在に接続保持されている。これらの可動片１３ａ，１３ｂは、接点１４ａ，１４ｂを有し、揺動動作をすることでそれらの各接点１４ａ，１４ｂが各負荷端子８ａ，８ｂに形成された接点１１ａ，１１ｂに対して接離するよう位置付けられている。そして、可動片１３ａ，１３ｂの上部には連結凸部１５ａ，１５ｂが一体形成されており、これらの連結凸部１５ａ，１５ｂは上部ハウジング３に揺動自在に取り付けられたスイッチハンドル５に一対のスプリング１６を介して連結されている。
【００２８】
次いで、本実施の形態のスイッチ１は、２極スイッチとして組み立てられていることから、一組の負荷端子８ａ及び共通端子９ａともう一組の負荷端子８ｂ及び共通端子９ｂとの間の絶縁距離を確保するためのセパレータ１７を必要とする。このセパレータ１７は、図４に示すように、一組の負荷端子８ａ及び共通端子９ａともう一組の負荷端子８ｂ及び共通端子９ｂとの間の空間に配置される遮断部１８と、下部ハウジング２の肉厚部上面１９の４箇所に形成された４個の嵌合凹部２０に嵌合して肉厚部上面１９に載せられる４個の固定片２１と、一対の可動片１３ａ，１３ｂを支持する一対の支持片２２とが樹脂モールド成形によって全て一体に形成された構造のものである。
【００２９】
ここで、４個の固定片２１が４箇所の嵌合凹部２０に嵌合した状態では、遮断部１８は、一組の負荷端子８ａ及び共通端子９ａともう一組の負荷端子８ｂ及び共通端子９ｂとの間の空間部に配置されるだけであり、例えば何らかの部材に圧入等されることがない（図５参照）。ここで、下部ハウジング２の底部には溝部２３が形成され、遮断部１８の下部にはその溝部２３に嵌合する狭部２４が形成されているが、狭部２４は溝部２３に緩く嵌合し圧入されるものではない。また、４個の固定片２１は、４箇所の嵌合凹部２０に嵌合した状態で、肉厚部上面１９より僅かに突出するよう形成されている。そこで、４個の固定片２１が４箇所の嵌合凹部２０に嵌合した状態で下部ハウジング２の肉厚部上面１９に上部ハウジング３が接合固定されると、４個の固定片２１は下部ハウジング２と上部ハウジング３との接合部分に強固に固定され、これによってセパレータ１７が位置固定される構造である。さらに、一対の支持片２２は、スイッチハンドル５の揺動動作に応じて負荷端子８ａ，８ｂとの間で接点１１ａ，１１ｂおよび１４ａ，１４ｂ同士が離反する方向に揺動した可動片１３ａ，１３ｂを定位置に支持する構造である。
【００３０】
このような構成において、スイッチハンドル５の揺動によって共通端子９ａ，９ｂに接続された可動片１３ａ，１３ｂが揺動し、これによって、負荷端子８ａ，８ｂとの間で接点１１ａ，１１ｂおよび１４ａ，１４ｂの接離が行われてスイッチング動作がなされる。また、一組の負荷端子８ａ及び共通端子９ａともう一組の負荷端子８ｂ及び共通端子９ｂとの間で、セパレータ１７の遮断部１８によって必要な絶縁距離が得られる。このようなセパレータ１７は、一組の負荷端子８ａ及び共通端子９ａともう一組の負荷端子８ｂ及び共通端子９ｂとの間の空間に圧入等されることなく遮断部１８が配置され、下部ハウジング２と上部ハウジング３との接合部分に固定片２１が挟持されて固定されるため、スイッチの組立に際し、下部ハウジング２の肉厚部上面１９にセパレータ１７を乗せた状態で上部ハウジング３を下部ハウジング２に接合固定するだけで固定的に配置される。このため、下部ハウジング２に対してセパレータ１７が不適切な角度で圧入等されてその位置に固定的に位置付けられてしまうようなことがなく、その配置位置が適正な位置となる。
【００３１】
また、スイッチの組立に際しては、下部ハウジング２にセパレータ１７を乗せる場合、セパレータ１７の固定片２１を下部ハウジング２の肉厚部上面１９に形成された嵌合凹部２０に嵌合させる。このとき、下部ハウジング２にセパレータ１７を乗せるべき位置が明確となり、その作業がしやすくなる。そして、この状態で上部ハウジング３を下部ハウジング２に接合固定すると、固定片２１は下部ハウジング２の肉厚部上面１９よりも僅かに突出しているので、下部ハウジング２と上部ハウジング３との接合部分に固定片２１が強固に固定される。
【００３２】
さらに、負荷端子８ａ，８ｂと可動片１３ａ，１３ｂとの間で接点１１ａ，１１ｂおよび１４ａ，１４ｂの接離が行われるに際し、揺動して負荷端子８ａ，８ｂから離反する可動片１３ａ，１３ｂが支持片２２に支持され、スイッチオフ時の可動片１３ａ，１３ｂの位置付け状態が安定する。
【００３３】
そして、図６に示すように、本実施の形態のスイッチ１では、セパレータ１７を取り外し、負荷端子８ａ，８ｂを負荷端子３１ａ，３１ｂに入れかえるだけで、４路スイッチとして組立が可能である。つまり、負荷端子３１ａ，３１ｂは、それぞれ斜めに延出してＸ字形状をなすアーム部３２ａ，３２ｂが一体に形成され、これらのアーム部３２ａ，３２ｂにはそれぞれ接点３３ａ，３３ｂが取り付けられている。一方の接点３３ａは接点１１ｂに対面し、もう一方の接点３３ｂは接点１１ａに対面するように構成されている。このように、本実施の形態のスイッチ１では、２極スイッチと４路スイッチとを容易に選択組立可能である。
【００３４】
【発明の効果】
請求項１記載のスイッチの発明は、上述のように構成したので、一組の前記負荷端子及び前記共通端子ともう一組の前記負荷端子及び前記共通端子との間で、セパレータの遮断部によって必要な絶縁距離を確保することができる。また、スイッチの組立に際し、セパレータは、下部ハウジングに乗せた状態で上部ハウジングを下部ハウジングに接合固定するだけで強固に固定されて位置決めされるので、下部ハウジングに対してセパレータが不適切な角度で位置付けられてしまうようなことがなく、常に適正な位置に配置することができる。これにより、セパレータが不適切な角度で取り付けられた場合の絶縁不良やスイッチング異常等の不都合を回避することができる。
【００３５】
請求項２記載の発明は、請求項１記載のスイッチにおいて、前記下部ハウジングの肉厚部上面には、前記セパレータの前記固定片を前記肉厚部上面よりも僅かに突出させて嵌合させる嵌合凹部が形成されているので、スイッチの組立に際して、下部ハウジングにセパレータを乗せるべき位置が明確となり、その作業性が向上する。また、固定片は下部ハウジングの肉厚部上面よりも僅かに突出しているので、上部ハウジングを下部ハウジングに接合固定すると、下部ハウジングと上部ハウジングとの接合固定部分で固定片を強固に固定することができる。
【００３６】
請求項３記載の発明は、請求項１または２記載のスイッチにおいて、前記セパレータには、前記スイッチハンドルの揺動動作に応じて前記負荷端子との間で前記接点同士が離反する方向に揺動した前記可動片を支持する支持片が形成されているので、負荷端子と可動片との間で接点の接離が行われるに際し、揺動して負荷端子から離反する可動片を支持片で支持することができ、したがって、スイッチオフ時の可動片の位置付け状態を安定させることができる。
【図面の簡単な説明】
【図１】本発明の実施の一形態を示すスイッチの外観斜視図である。
【図２】２極スイッチとして構成されたスイッチの縦断側面図である。
【図３】２極スイッチとして構成された下部ハウジングとその収容部品とをセパレータが取り付けられた状態で示す平面図である。
【図４】セパレータの斜視図である。
【図５】２極スイッチとして構成された下部ハウジングとその収容部品とをセパレータが取り外された状態で示す平面図である。
【図６】４路スイッチとして構成された下部ハウジングとその収容部品とを示す平面図である。
【図７】２極スイッチとして構成された従来のスイッチの一例として、下部ハウジングとその収容部品とをセパレータが取り付けられた状態で示す平面図である。
【図８】４路スイッチの概略構成および使用例を示す回路図である。
【図９】２極スイッチの概略構成および使用例を示す回路図である。
【符号の説明】
２  下部ハウジング
３  上部ハウジング
５  スイッチハンドル
８ａ，８ｂ  負荷端子
９ａ，９ｂ  共通端子
１１ａ，１４ａ  接点
１３ａ，１３ｂ  可動片
１７  セパレータ
１８  遮断部
１９  肉厚部上面
２０  嵌合凹部
２１  固定片
２２  支持片
【図１】
0004096463.tif 000002
【図２】
0004096463.tif 000003
【図３】
0004096463.tif 000004
【図４】
0004096463.tif 000005
【図５】
0004096463.tif 000006
【図６】
0004096463.tif 000007
【図７】
0004096463.tif 000008
【図８】
0004096463.tif 000009
【図９】
0004096463.tif 000010